(57)【要約】      （修正有）【課題】二本の柄部を握り締めるだけで、多種類の固形物の食品を挟むだけでなく、掬う事もできる食品用トングを提供する。【解決手段】二つの柄部前縁２２ａの上端近く（手部２１と反対側）を番部２３で架橋する。番部２３の回転軸の方向は柄部２２とほぼ平行であるようにする。許容された方向以外への変形をできるだけ防ぐために番部２３はＸの字型が最も良い。手部２１は、汁物を落とし、固形物だけを拾い上げることができるように、手部下縁２１ｄに櫛状歯２１ｅを設ける。生産コストを抑えるために、手部２１と柄部２２と番部２３を連続した一体の部材で構成するのがよい。【選択図】図３
0003157605.tif 000002
【実用新案登録請求の範囲】
【請求項１】
食品を挟み上げるＵ字形の道具である食品用トングにおいて、二本の柄部１２を閉じ合わせる動作だけで、手部２２が自然に外旋するように、番部２３の回転軸２４が柄部２２とほぼ平行になるように、番部２３を柄部前縁２２ａ同士に架橋したことを特徴とする、食品掬い取りトング。
【請求項２】
上記番部２３として回転軸受け２３ａと回転支軸２３ｂを設けることで蝶番を形成し、さらに、柄部内面２２ｃ同士を反発弾性体２５で連結したことを特徴とする、請求項１に記載の食品掬い取りトング。
【考案の詳細な説明】
【技術分野】
【０００１】
本考案は、氷、ケーキ、パスタ、薬味などの食品を挟みながら、掬い取る、Ｕ字形の道具である食品掬い取りトングに関する。
【背景技術】
【０００２】
氷、ケーキ、パスタ、薬味などの食品を挟む、Ｕ字形の道具である食品用トングは、二本の柄部１２と、それぞれの柄部１２の下端に装着した手部１１と、それぞれの柄部１２の上端を連結する番部１３とからなる。多くの場合、番部１３は、柄部１２の上端を架橋する柄部１２と連続したＵ字形の部材であり、その材質が持つ弾性を利用して、手部１１の開閉を補助している。また、一部の食品用トングの番部１３は、柄部１２の上端に設けた回転支軸と回転軸受けを介して二本の柄部１２を連結し、二本の柄部１２の間に反発弾性体を挿入して、手部１１の開閉を補助している。
【０００３】
この構造によって、食品用トングを手に持ち、二本の柄部１２を閉じ合わせようとすると二本の柄部１２は内転し、手部１１が閉じ合わせられる。脱力すれば、二本の柄部１２は弾性により外転し、閉じ合わせられていた手部１１が開かれる仕組みになっている。いずれの場合も、番部１３の開閉の回転軸１４の向きは、柄部１２に対してほぼ垂直な方向である。したがって、二本の柄部１２の動きは、内転と外転のみで、内旋と外旋を伴うことはない。
【考案の概要】
【考案が解決しようとする課題】
【０００４】
従来の食品用トングは、番部１３の開閉の回転軸１４の向きが、柄部１２に対してほぼ垂直であり、二本の柄部１２の動きは、内転と外転のみに限定される。柄部１２を閉じ合わせることにより、手部１１は手部掌側１１ａ同士が向かい合った方向を向いたまま閉じあわせられる。食品用トングで掴もうとする食品は手部掌側１１ａ同士で左右から押さえつけて保持することになる。そのため、従来の食品用トングには次のような欠点があった。掴み上げようとする食品ごとに使用できるトングや器具が別であることが多かった。例をあげれば、スパゲティーと湯豆腐とでは同じトングで摘み上げることが難しかった。また、挟んだ食品を作業の途中でとり落としやすかった。本考案はこれらの欠点を補い、できるだけ多種類の固形食材を取り上げることを可能にするための食品掬い取りトングである。
【課題を解決するための手段】
【０００５】
本考案は、食品を挟み上げるＵ字形の道具である食品用トングにおけるものである。
請求項１に記載の本考案を以下に示す。番部２３の回転軸２４が柄部２２とほぼ平行になるように、番部２３を二つの柄部前縁２２ａに架橋したことを特徴とする。これにより、二本の柄部１２を閉じ合わせる動作（内転させる動作）だけで、手部２２が自然に外旋する。請求項１に記載の本考案は、以上の構造からなる食品掬い取りトングである。
【０００６】
請求項２に記載の本考案は、上記番部２３として回転軸受け２３ａと回転支軸２３ｂを設け、さらに、柄部内面２２ｃ同士を反発弾性体２５で連結したことを特徴とする、請求項１に記載の食品掬い取りトングである。
【０００７】
なお、内外転、内外旋とは医学用語のそれである。下肢の動きに例えれば、逆さＶの字に開いた脚を閉じ合わせる動きが内転、開く動きが外転である。また、両踵同士を付け、足をＶの字に開いた状態において、両踵同士を付けたまま爪先を閉じる動きが内旋、その逆が外旋である。すなわち、膝を少し曲げた状態で立ったとき、外転すれば足の幅が広がり、外旋すればガニ股状の姿になる。本出願の全文中において、内外転、内外旋とは柄部２２と手部２１の動きを人体の脚と足に例えて表現している。
【考案の効果】
【０００８】
本考案の食品掬い取りトングを持ち、二本の柄部２２を閉じ合わせようと力を加えると、番部２３が弾性に逆らいが閉じようとする。番部２３の回転軸２４は柄部２２とほぼ平行であるため、両方の柄部２２とともに両方の手部２１が外旋する。これにより二つの手部２１は、手部上縁２１ｃが遅れて、手部下縁２１ｄが先に接近する。すなわち、二つの手部２１は、手部掌側２１ａを上に、手部甲側２１ｂを下に傾けながら接近する。この動きにより、固形物の食品を挟むだけでなく、掬うという動作も起こすことができ、本考案一つでさまざまな食品に用いることができる。さらに、本考案は構造が非常に簡単であるため、生産コストも抑えることができる。
【図面の簡単な説明】
【０００９】
【図１】「考案が解決しようとする課題」を示した従来のトングの参考斜視図である。一点鎖線は回転軸１４を表したものである。
【図２】「考案が解決しようとする課題」を示した従来のトングの参考斜視図である。手部１１を閉じた状態である。
【図３】請求項１に記載の本考案の斜視図である。一点鎖線は回転軸２４を表したものである。
【図４】請求項１に記載の本考案の斜視図である。手部２１を閉じた状態である。
【図５】請求項１に記載の本考案の平面図である。
【図６】請求項１に記載の本考案の底面図である。
【図７】請求項１に記載の本考案の左側面図である。
【図８】請求項１に記載の本考案の右側面図である。
【図９】請求項２に記載の本考案の斜視図である。
【考案を実施するための形態】
【００１０】
請求項１に記載の本考案の実施するための最良の形態を以下に示す。二つの柄部前縁２２ａの上端近く（手部２１と反対側）を番部２３で架橋する。番部２３の回転軸の方向は柄部２２とほぼ平行であるようにする。許容された方向以外への変形をできるだけ防ぐために番部２３はＸの字型（図５参照）が最も良い。手部２１は、汁物を落とし、固形物だけを拾い上げることができるように、手部下縁２１ｄに櫛状歯２１ｅを設ける。生産コストを抑えるために、手部２１と柄部２２と番部２３を連続した一体の部材で構成するのがよい。
【００１１】
請求項２に記載の本考案の実施するための最良の形態を以下に示す。上記番部２３として回転軸受け２３ａと回転支軸２３ｂを設け、回転軸２４として蝶番を形成する。さらに、二つの柄部２２を柄部内面２２ｃの柄部後縁２２ｂ近くで、反発弾性体２５を用いて連結する。
【符号の説明】
【００１２】
１１      手部
１１ａ    手部掌側
１２      柄部
１３      番部
１４      回転軸
２１      手部
２１ａ    手部掌側
２１ｂ    手部甲側
２１ｃ    手部上縁
２１ｄ    手部下縁
２１ｅ    櫛状歯
２２      柄部
２２ａ    柄部前縁
２２ｂ    柄部後縁
２２ｃ    柄部内面
２３      番部
２３ａ    回転軸受け
２３ｂ    回転支軸
２４      回転軸
２５      反発弾性体
【図１】
0003157605.tif 000003
【図２】
0003157605.tif 000004
【図３】
0003157605.tif 000005
【図４】
0003157605.tif 000006
【図５】
0003157605.tif 000007
【図６】
0003157605.tif 000008
【図７】
0003157605.tif 000009
【図８】
0003157605.tif 000010
【図９】
0003157605.tif 000011